Podtech/llm-jp-corpus-v4-ja_patent huggingface dataset:
(57)【要約】【課題】日常生活の中で携行可能で、自動販売機で販売可能な防災グッズのセットを提供する。【解決手段】防災グッズを飲料水サイズの缶に詰め合わせることで、日常生活で携行可能かつ飲料水の自動販売機で販売可能なセットとする。【選択図】図２
0003170541.tif 000002
【実用新案登録請求の範囲】
【請求項１】
防災グッズを飲料水缶サイズの缶をはじめとする携行可能なサイズの缶に詰め合わせることで実現する自動販売機で購入可能かつ携行可能な防災グッズのセット。
【考案の詳細な説明】
【技術分野】
【０００１】  本考案は、地震をはじめとする災害発生時に必要な防災グッズを、被災状況に適宜対応可能な組み合わせとしてセット化し、携行しやすく、自動販売機で購入可能な飲料水缶サイズの缶に詰め合わせたものである。
【背景技術】
【０００２】  被災時用の防災グッズのセットとしては、古くから非常用持ち出し袋が普及している。
【考案の概要】
【考案が解決しようとする課題】
【０００３】  しかしながら、非常用持ち出し袋は、重量・サイズともに大きいため日常的な携行には適さない。また、内容されている防災グッズの種類・量が膨大であるために、購入者がライフスタイルに合わせて必要な防災グッズを過不足なく備蓄することができない。
さらに、一般市民は防災対策の重要性を認識しているものの、非常持ち出し袋等の防災グッズを購入できる環境は限られているため、実際の備えは進んでない。
行政・企業が被災時の配給物資を備蓄する際にも、非常用持ち出し袋ではサイズが大きすぎ、防災グッズ単品の備蓄では被災者のニーズに応えることが困難である。
【課題を解決するための手段】
【０００４】  そこで、本考案にあたっては、携行性を重視し、また全国で２５６万台設置されている飲料水の自動販売機を販売インフラとして活用するために、自動販売機で販売可能な携行缶を用いた被災時の状況ごとに必要最小限な防災グッズの組み合わせを考案した。（「防災グッズ」と「飲料水缶サイズの携行缶」の組み合わせ）。
【考案の効果】  飲料缶サイズの缶はサイズが小さくまた普遍的に流通しているため、購入者はライフスタイルに合わせて防災グッズのセットを選択し、日常生活の中で無理なく携行することが可能となる。また、防災グッズをインテリアとして陳列しながら家庭内に備蓄することが可能となる。
また、清涼飲料水と同規格の缶を用いることにより、自動販売機での防災グッズセットの販売が可能となる。
さらに、軽量かつ規格化されている缶を用いることで、行政・企業による被災時の配給物資としても、備蓄・配送・配布が容易である。
【図面の簡単な説明】
【０００５】
【図１】本案外観の斜視図
【図２】本案の断面図
【符号の説明】
【０００６】１  本案で使用する携行缶
２  本案における携行缶内での防災グッズの収納方法の概略
【図１】
0003170541.tif 000003
【図２】
0003170541.tif 000004
(57)【要約】      （修正有）【課題】歯科治療薬剤がこびり付き難く、かつ治療中に耳ざわりな打撃音を発することのない歯科治療トレー用紙製消音パッドを提供する。【解決手段】歯科治療用具ステンレス製のバッドトレーの上に紙製消音パッドを敷く。これにより、金属同士の摩擦することが無くなるために音が小さくなり、尚且つ、歯科治療薬剤が直接歯科治療用具ステンレス製のバッドトレーこびり付かないようになる。【選択図】図３
0003170547.tif 000002
【実用新案登録請求の範囲】
【請求項１】
歯科治療用具ステンレス製のバッドトレーに敷く紙製消音パッド
【考案の詳細な説明】
【考案の詳細な説明】
【技術分野】
【０００１】この考案は、歯科治療用具ステンレス製のバッドトレーに敷く紙製消音パッドに関するものである。
【考案が解決しようとする課題】
【０００２】従来の歯科治療用具ステンレス製のバッドトレーは、そのままで使用すると歯科の治療用インスツルメントともに金属であるため治療中常にガチャガチャと音が鳴り、その上歯科治療薬剤がバッドトレーに接着し、凝固するため治療後歯科治療薬剤がこびり付いている状態になっていた。
【課題を解決するための手段】
【０００３】本考案は、従来の歯科治療用具ステンレス製のバッドトレーの上に、紙製消音パッドを敷くことで金属同士の摩擦音や歯科治療薬剤のこびり付きを防ぐようにした。
【考案の効果】
【０００４】従来の歯科治療用具ステンレス製のバッドトレーの上に、紙製消音パッドを敷くことで金属同士の摩擦することがなくなったため音が小さくなり、歯科治療薬剤が直接、歯科治療用具ステンレス製のバッドトレーこびり付かないようにする事が可能となった。
【図面の簡単な説明】
【図１】本考案の側面図である。
【図２】本考案の正面図である。
【図３】本考案の斜面図である。
【符号の説明】１  本考案
２  歯科治療用具ステンレス製のバッドトレー
【図１】
0003170547.tif 000003
【図２】
0003170547.tif 000004
【図３】
0003170547.tif 000005
(57)【要約】      （修正有）【課題】側溝本体と側溝蓋と隣りの蓋にあるガタつきを無くする事で、歩行時あるいは車輌通行時に発生する音を無くすゴムの構造を提供する。【解決手段】側溝本体２と側溝蓋１と隣りの側溝蓋１との間にＴ型形状のゴム３、又は、Ｌ型形状のゴム４を入れることで隙間が無くし、ガタつき音、騒音が出ないようにした。【選択図】図１
0003170517.tif 000002
【実用新案登録請求の範囲】
【請求項１】
側溝本体２と溝蓋１と隣りの溝蓋１との間にＴ型３、Ｌ型４のゴムを入れる事により蓋のガタつき音を防止するＴ型、Ｌ型のゴム。
【考案の詳細な説明】
【考案の詳細な説明】
【考案が解決しようとする課題】
【０００１】  側溝の蓋の上を、歩行、自転車又は、自動車等が通行するとガタガタと騒音が出て、環境を悪くし、夜の場合安眠妨害となりかねない、
【課題を解決するための手段】
【０００２】  上記の目的を達成するために、側溝本体と溝蓋と隣りの溝蓋との間にＴ型、Ｌ型ゴムを入れる事によりガタがなくなり騒音がなくなる。
【考案の効果】
【００３】  騒音がなくなり、また安眠出来て環境に良い、
【図面の簡単な説明】
【図１】  側溝本体、溝蓋、Ｔ型ゴム、Ｌ型ゴムの配置分解図である。
【図２】  Ｔ型ゴム、Ｌ型ゴムを敷いた断面図である。
【符号の説明】１  溝蓋
２  側溝本体
３  Ｔ型形状したゴム
４  Ｌ型形状したゴム
【図１】
0003170517.tif 000003
【図２】
0003170517.tif 000004
(57)【要約】      （修正有）【課題】神棚のない家で、神お札、縁起物や干支小物を祭るための神お札祭り壇を提供する。【解決手段】まず「神棚」の固定構造製作方式を、「置き台」の方法に変える。次に構造を「神お札祭り口」と「祈願お札祭り口」に前面に、「縁起小物と干支小物」の祭り小窓を設置する。そして、その「神お札祭り壇」の台箱「書庫小物入れ箱」を組み合わせて祭ることも、また単独で「神お札祭り壇」だけで使用することもできる構造にする。これにより、現代住宅の条件のなかで、床の間・書架・机上・茶箪笥上、サイドボード上など自由に祭れるようになる。【選択図】図１
0003170505.tif 000002
【実用新案登録請求の範囲】
【請求項１】
神お札と祈願札と縁起小物と干支や家紋の小物を組み合わせて祭る台で、祭り台の下に書類や小物入れ保管用引出つき箱台を組み合わせて使用できる、神お札祭り壇。
【請求項２】
請求項１の縁起物干支小物は焼却できる材料を主とし、神お札祭り壇は陶磁器製品を主として製作した神お札祭り壇。
【考案の詳細な説明】
【技術分野】
【０００１】  本案は、神棚のない家の神お札祭り台に関する考案です。
現代の家は構造が変化し「神棚」のある家が、少なくなっています。和室よりも、洋室が増加したことに関係しているのでしょう。
神様にたいする意識が、薄くなったともいえるかもしれませんが、でも正月には「初詣」をして、神お札をお受けしています。
問題は、せっかくの神お札を祭る場所に、困ってしまうことです。そこで、茶箪笥や机の上、サイドボードや本棚にも祭ることのできる「神お札祭り壇」を考案しました。
健康祈願・合格祈願などの「祈願お札」と「神お札が立ててお祭りでき、そして、祭り壇の小窓には、縁起物やその年の干支小物が、祭れるように考案されています。
我が国の祭祀と家族文化を、楽しく継承できる、この上ない考案といえます。
【背景技術】
【０００２】  従来の神棚の用途に変わる、物や家具など見当たりません。
現代住宅には、床の間もない家が増加しているので、しかたなしに「神お札」を壁に画鋲などで止めてあるのを、見たことがあります。
本案の〔神お札祭り壇〕の構造の台は、見たこともお聞きしたこともありません。
【考案が解決しようとする課題】
【０００３】  第一の課題は、現代家屋のなかに、神お札を精神と装飾両面に適した物であること。第二は、日常の生活の部屋にマッチして、楽しめること。
第三は、置き場所が現代家屋のなかで、どこの家でも容易に置けてお祭りできることです。
【考案が解決するための手段】
【０００４】  第一の課題は、高さ１５×２５×１０センチの小型で「神お札祭り壇」は、☆神お札と合格祈願お札の２種類を、お祭りできる構造にして解決しています。
第二の課題は、縁起物ダルマや干支の「兎などの小物」が、「神お札祭り壇」前面の二つの小窓に、祭れるので、美しく楽しく飾ることができます。
第三の課題は、床の間はもとより、小型ですから合格祈願は机上の片隅、本棚、茶箪笥、サイドボードの上にも祭ることができます。
そして、一年が幸せに過ごせましたら、お世話になった☆神お札や祈願札、縁起物や干支小物を、焼却し新年の神お札を受けお願いをいたします。
【考案を実施するための形態】
【０００５】      考案の実施の形態を図面により説明します。
図１  「神お札祭り壇」の平面の見取り図
▲１▼「神お札祭り壇」の図・▲３▼神札・▲４▼祈願札・▲５▼神矢立て
▲２▼「小物入れ文具箱」の図。
▲６▼「神お札祭り壇」前面の「小物入れ台箱」上にはご神酒などを祭ります。
図２  「神お札祭り壇」と「書庫・小物入れの台箱」の前面の見取り図
▲１▼神お札祭り壇…▲２▼縁起祭り窓・▲３▼「小物入れ箱台」
▲４▼通し窓・この窓の下部の穴は「家紋」などの取付け穴
▲５▼干支小物祭り窓
【考案の効果】
【０００６】      本考案は上述の通りであります。
【０００７】  本案は、現代住宅の「神棚」の「代用品」として、日本古来の祭祀の継承に多大の効果を、あげることができる。
現代家族生活のなかに、精神的な安らぎと希望の、よりどころとして効果があげられる。一つの道がみえてくる。
姿なきものを信じる心、☆困った時の神たのみ☆とは・・・家族や親族との絆、観光や日本の伝統文化の保存継承に少なからず効果が上げられる。
【図面の簡単な説明】
【０００８】
【図１】「神お札祭り壇」の「平面」の見取り図
【図２】「神お札祭り壇」と「書庫・小物入れ台箱」の前面の見取り図
【符号の説明】  ▲１▼．▲２▼．▲３▼．▲４▼．▲５▼▲６▼表記符号
【図１】
0003170505.tif 000003
【図２】
0003170505.tif 000004
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
神様への祈願お札と干支や縁起小物を祭る神お札祭り壇。
【請求項２】
変色老朽しない陶磁器製品であることを特徴とする請求項１に記載の神お札祭り壇。
(57)【要約】【課題】  塵取りで集めたごみをそのままゴミ袋に掃き入れることを可能にするゴミ袋着脱式塵取りを提供する。【解決手段】  塵取りの背板２は、ゴミ袋不使用時は、背板は側板１の係止用クリップ９と背板の係止用突起１０により垂直に取り付けられているが、ゴミ袋使用時は、底板上端部をクリップからはずすことで、背板と底板の境界部を軸として水平に開くことができるようにする。又、両側板の外側にはそれぞれＵ字型の、ガイド枠６を有し、ガイド枠の内側にはさらに、Ｕ字型の袋取付バー４を、さらに袋取付バーの内側に取って５が取り付けられ、袋取付バーと取っては、取付金具に設けた固定ピン７を軸にして、側板に平行方向に９０度回転可能となっていることを特徴とするゴミ袋着脱式塵取り。【選択図】図１
0003170501.tif 000002
【実用新案登録請求の範囲】
【請求項１】
塵取りで集めた塵や落ち葉をそのままゴミ袋に移し変えできるゴミ袋着脱式塵取りであって、塵取りの背板２は、ゴミ袋不使用時は、側板の係止用クリップ９と背板の係止用突起１０により垂直に取付けられているが、ゴミ袋使用時は、底板上端部をクリップからはずすことで、背板と底板の境界部を軸として水平に開くことが可能であり、また、両側板の外側にはそれぞれ平面方向から見てＵ字型である、ガイド枠６を有し、ガイド枠の内側にはさらに、半割り状パイプのゴミ袋取付バー４を設け、さらにゴミ袋取付バーの内側にコ型の取って５の両端が取り付けられ、ゴミ袋取付バーと取っては、取付金具に設けた固定ピン７を軸にして、側板に平行方向に９０度回動可能となっていることを特徴とするゴミ袋着脱式塵取り。
【考案の詳細な説明】
【技術分野】
【０００１】  本考案は、塵取りを使用した掃き掃除の時塵や落ち葉を掃除と同時に塵取りに装着したゴミ袋に、掃き込み収納処分できるようにした塵取りである、又ゴミ袋を使用しない時の塵取りにも利用可能にしたものである。
【背景技術】
【０００２】  普段の掃き掃除での塵取りは数多く有るが、塵を処分するにはゴミ袋に収納しなくてはならず一人では袋を開けて入れるのが大変手間取るし、手も汚す。【０００３】又塵をゴミ袋に直接入れる文献１も考案されているが、ゴミ袋の取り付けやサイズごとの袋の利用がしずらい点がある。
【文献１】
実用新案登録  第３０８６４２０号
【考案の開示】
【考案が解決しようとする課題】
【０００４】    文献１は落ち葉等をゴミ袋に収納できるが普段の掃除には、使用しずらい。又ゴミの取り付けや、取り外しに手間や取付のための材料、器具が必要となる。
【課題を解決するための手段】
【０００５】    従来の掃除に使用されている形に似たちりとりにゴミ袋を取り付け固定できるようにして掃き掃除と同時にゴミ袋に塵や落ち葉を掃き込めるようにした。
【考案の効果】
【０００６】  塵取りにゴミ袋を取り付けることにより、掃除と同時に塵や落ち葉の収納ができ、手も汚さない、ゴミ袋の取り付け、取り外しが簡単な装置であり掃除終了後の塵取りをコンパクトに収納できるようにした。
【考案を実施するための最良の形態】
【０００７】  本考案の塵取りは、図１の底板３の左右両側に側板１が形成され、掃きいれ側の反対側には背板２が設けられている、又左右の側板１には、ガイド枠６を鋲などの金具で固定し、それにゴミ袋取り付けバー４と取っ手５を固定ピン７で装着し、又底板３と背板２を丁番で連結し自在に動くようにした、又左右側板１の後上部に係止用クリップ９を、又背板２の上部両端に係止用突起１０を装着し背板２を自在に連結できるようにした。【０００８】  ゴミ袋の装着は、側板１に固定されているガイド枠６に固定ピン７を軸として動く、ゴミ袋取り付けバー４を垂直に立てゴミ袋を底板３の下から左右の側板１の両固定ピン７のラインまで入れてゴミ袋取り付けバー４の上まで袋の口を引き上げて取っ手５を９０度垂直に回転させて、弾力性のある断面Ｕ字型に加工されたゴミ袋取り付けバー４のＵ字型のなかへ袋の口が取っ手５によって押し込まれ固定される。【０００９】  ゴミ袋を装着したら背板２を後ろに倒すことにより塵がゴミ袋の奥へと掃きこまれていき、図３に示したような状態になり、ゴミをゴミ袋へ移送することが可能となる。【００１０】  ゴミのゴミ袋への移送が完了したあとは、図１の取っ手５を前に倒してゴミ袋取り付けバー４から離す、次に袋の口をゴミ袋取り付けバー４から外し、塵取りをゴミ袋から抜き取り、又取って５をゴミ袋取り付けバー４に戻す、次に背板２を上にあげて左右側板１の後ろの上部背板係止用クリップ９に背板２の左右上部の係止用突起１０で固定されゴミ袋無しの普段の塵取りとしてつかえるようになる。ゴミ袋をはずした状態を図２で示す。【００１１】  作業終了後はゴミ袋取り付けバー４に収まった取って５と、ともに前に倒しガイド枠６の下部の弾力性のあるＵ字型に押し込み固定される、図４のようになり場所をとらずにコンパクトに収納できる。【００１２】  図６は、左右の側板１に固定したガイド枠６にゴミ袋取付けバー４と取って５が収容された状態を示す上面図である。【００１３】  側板１に、ガイド枠６を取り付けるが、ガイド枠はＵ字型の弾力性を有するようにし、ゴミ袋取り付けバー４をガタのないようにフイットできるようにし、又ゴミ袋取り付けバー４も、Ｕ字型の弾力性を有するようにし、取って５とゴミ袋口を押し込んでもガタのないようにフイットできるようにした、ガイド枠６は側板１に鋲にて固定し、その内側にゴミ袋取り付けバー４を、又その内側に取って５を、それぞれ固定ピン７を軸に、側板１と共に固定する。
【図面の簡単な説明】
【００１４】
【図１】塵取りの全体図である。
【図２】塵取り単独で使用する時の図である。
【図３】ゴミ袋を取り付けて使用する時の図である。
【図４】折り畳んで収納する時の図である。
【図５】ゴミ袋取付バーを起立したときの図である。
【図６】ガイド枠を上面から見た図である。
【符号の説明】
【００１５】  １  側板  ２  背板  ３  底板  ４  ゴミ袋取付けバー  ５  取って  ６  ガイド枠  ７  固定ピン  ８  丁番  ９  係止用クリップ１０  係止用突起
【図１】
0003170501.tif 000003
【図２】
0003170501.tif 000004
【図３】
0003170501.tif 000005
【図４】
0003170501.tif 000006
【図５】
0003170501.tif 000007
【図６】
0003170501.tif 000008
(57)【要約】      （修正有）【課題】既設の引き違い窓に設置してある網戸外側に誰でも短時間で安全速やかに後付け設置できる雨除け遮蔽板を提供する。【解決手段】透明又は半透明で軽量硬質の平板プラスチック樹脂製の遮蔽板本体１は長方形の形状を有し、全面に通気の為の細長い直線の通気穴２を複数適宜に設け、その通気穴から雨が流入しない様に細長い板状の庇の役目をする小板３を通気穴の上部に設け、妻側の上端にはフック状の金具４が左右両端に２個取り付けられており、下方左右には取り付け位置調整用の小穴５が複数開いており、両端フック付きのコイルスプリングを小穴５に左右それぞれ差し込み連結させる。【選択図】図１
0003170509.tif 000002
【実用新案登録請求の範囲】
【請求項１】
透明又は半透明で軽量硬質の平板プラスチック樹脂製の遮蔽板本体は長方形の形状を有し、遮蔽板本体表面には外気導入や通気の為の細長い直線の通気穴を複数全面に設け、雨が流入しない様に細長い板状の庇の役目をする小板は通気穴の上部に設け通気を妨げず、雨の流入を防ぐため斜め下向き取り付け、既存網戸外側フレームに引っかけ装着するフック状の留め金を遮蔽板本体妻側の上端に２個設置、これを網戸フレーム外側、上部先端に引っかけ網戸フレームに密着させ吊り下げる。他方遮蔽板本体の下方左右には取り付け位置調整用の小穴を複数適宜設置し、伸縮するコイルスプリング上下両端にはフック状の金具が緊結されており、これを遮蔽板本体の取り付け位置調整用の小穴に左右それぞれ差し込み連結し、対向先端にあるフック状の金具を引き下ろし網戸フレーム外側の下方底部に引っかけ遮蔽板本体を固定密着させる。
【考案の詳細な説明】
【技術分野】
【０００１】
本考案は住宅の引き違い窓に付いている既存の網戸外側に雨除け遮蔽板を取り付けに関するものである。
【背景技術】
【０００２】
本考案は既設の引き違い窓に設置してある網戸外側に短時間で安全速やかに後付け雨除け遮蔽板の機能をもつ住宅機材が少なく、降雨中は窓を閉め切り自然換気や外気入換えなどの開放感、室内温度調整など出来なかった。
【考案の概要】
【考案が解決しようとする課題】
【０００３】
本考案は既設の引き違い窓に設置してある網戸外側に誰でも短時間で安全速やかに後付け雨除け遮蔽板を設置ができ、降雨中でも窓を閉め切ることなく、本考案は半ドア状態に常時窓を開けられる事から自然換気や外気入換えなどの開放感、室内温度調整や居住環境の快適性を高め、室内の床等に雨滴の流入を防ぐことを課題とする。  
【課題を解決するための手段】
【０００４】
透明または半透明で軽量硬質の平板プラスチック樹脂製の遮蔽板本体は長方形の形状を有し、表面には通気のための細長い直線の穴を複数適宜に設け、その通気口から雨が流入を防ぐため斜め下向きに取り付け、遮蔽板本体妻側の上端には網戸フレーム外側、上部先端に引っかけ吊り下げることができるフック状の金具が２個取り付けられており、遮蔽板本体の下方左右には取り付け位置調整用の小穴が複数適宜設置しており、伸縮するコイルスプリング両端にはフック状の金具が連結されており前述の取り付け位置調整用の小穴に左右それぞれ差し込み連結させ、対向先端に付いているフック状の金具を下方網戸外側フレーム底部に引っかけ遮蔽板本体を固定する。
【考案の効果】
【０００５】
上述の様に、本考案の網戸に付ける雨除け遮蔽板は既設の引き違い窓に設置してある網戸外側に誰でも短時間で安全速やかに雨除け遮蔽板を設置ができ、降雨中でも窓を閉め切ることなく、半ドア状態に常時開けられる事から自然換気や外気入換えなどの開放感、室内温度調整や居住環境の快適性を高め、室内の床等に雨滴の流入を防ぐことができる。また、シンプルな構造、機能から大量生産が見込まれ低価格で供給でき住宅環境の向上につながる。  
【図面の簡単な説明】
【０００６】
【図１】本考案の網戸に取り付ける雨除け遮蔽板の実施例を示す斜め側面部からみた図である。
【考案を実施するための形態】
【０００７】
透明又は半透明で軽量硬質の平板プラスチック樹脂製の遮蔽板本体は長方形の形状を有し、遮蔽板本体表面には外気導入や通気の為の細長い直線の通気穴を複数全面に設け、雨が流入しない様に細長い板状の庇の役目をする小板は通気穴の上部に設け通気を妨げず、雨の流入を防ぐため斜め下向き取り付け、既存網戸外側フレームに引っかけ装着するフック状の留め金を遮蔽板本体妻側の上端に２個設置、これを網戸フレーム外側、上部先端に引っかけ網戸フレームに密着させ吊り下げる。他方遮蔽板本体の下方左右には取り付け位置調整用の小穴を複数適宜設置し、伸縮するコイルスプリング上下両端にはフック状の金具が緊結されており、これを遮蔽板本体の取り付け位置調整用の小穴に左右それぞれ差し込み連結し、対向先端にあるフック状の金具を引き下ろし網戸フレーム外側の下方底部に引っかけ遮蔽板本体を固定密着させる。
【実施例】
【０００８】
以下、添付図面に従って一実施例を説明する。透明又は半透明で軽量硬質の平板プラスチック樹脂製の遮蔽板本体１は長方形の形状を有し、遮蔽板本体表面には外気導入や通気の為の細長い直線の通気穴２を複数全面に設け、雨が流入しない様に細長い板状の庇の役目をする小板３は通気穴の上部に設け通気を妨げず、雨の流入を防ぐため斜め下向き取り付ける構造である。
【０００９】
既存網戸外側フレームに引っかけ装着するフック状の留め金具４を遮蔽板本体妻側の上端に２個設置、これを網戸フレーム外側、上部先端に引っかけ網戸フレームに密着させ吊り下げる。
【００１０】
遮蔽板本体の下方左右には設置してある位置調整用の小穴５に、伸縮するコイルスプリング付きフック状に緊結している金具６を遮蔽板本体の下方にある位置調整用の小穴５に左右それぞれ差し込み連結し、対向先端にあるコイルスプリング付きに緊結されている金具６を引き下ろし網戸フレーム外側の下方底部に引っかけ雨除け遮蔽板本体１を固定密着させる。
【符号の説明】
【００１１】
１  網戸に取り付ける雨除け遮蔽板本体
２  通気、換気用の通気穴
３  庇機能の小板
４  留め金具
５  取り付け位置調整用穴
６  コイルスプリング付き取り付け金具
【図１】
0003170509.tif 000003
【手続補正書】
【提出日】平成23年7月12日(2011.7.12)
【手続補正１】
【補正対象書類名】実用新案登録請求の範囲
【補正対象項目名】全文
【補正方法】変更
【補正の内容】
【実用新案登録請求の範囲】
【請求項１】
透明又は半透明で軽量硬質のプラスチック樹脂製の網戸に付ける雨除け遮蔽板は長方形の形状を有し、全面に通気の為の細長い直線の通気孔を横長に複数設け、各々通気孔上端には雨の流入を防ぐ細長い板状の小板をやや斜め下向きに取付形成され、妻側の上端にはフック状金具が左右両端に各々取り付けられ下方左右には縦方向一列の取付用の小穴が複数開けてある形状で、この小穴に両端フック付きのコイルスプリングが各々連結された形状を特徴とする網戸に付ける雨除け遮蔽板。
(57)【要約】      （修正有）【課題】自宅で、手軽に姿勢を変えながら筋肉や関節をほぐし、姿勢や運動能力の向上へと改善を図ることができる姿勢改善健康用具を提供する。【解決手段】平均台状の台に、手摺りや取っ手を設け、さらに前記台に、振動あるいは揺動を加える手段を備えることで、姿勢改善健康用具を形成する。【選択図】図２
0003170506.tif 000002
【実用新案登録請求の範囲】
【請求項１】
平均台状の台に、手摺りや取っ手を備えたことを特徴とする姿勢改善健康用具
【請求項２】
平均台状の台に、揺動或いは振動を加える手段を備えた事を特徴とする、姿勢改善健康用具
【考案の詳細な説明】
【技術分野】
【０００１】本考案は、自分自身、自宅で手軽に、姿勢を変えながら筋肉や関節を、ほぐす為の用具を提供するものである。
【背景技術】
【０００２】従来、生活習慣や、老化によって腰が曲がり、背中が丸くなって身体全体の可動域が狭くなり、運動能力も低下してくる。これを改善出来る整体術は保健が効かない。
自分自身で、自宅で出来る簡便な方法が無かった。
【考案の開示】
【課題を解決するための手段】
【０００３】本姿勢改善健康用具上に仰向けに寝た姿勢で主として股関節や肩胛骨部位を水平かつ一直線な姿勢を保持事させる事で、老化や日常の椅子生活から来る猫背や屁っぴり腰化の改善に努めることを基本にしつつ、筋肉や各関節部位をほぐし、可動域の拡大へと波及させていきます。
【考案の効果】
【０００４】本器の特徴である平均台上に仰向けに寝る姿勢は、脚部を広げて床面に着ける事で股関節の可動域を広げ、背中と肩胛骨部位、首筋を一直線状に保持させる効果があると共に、両手にボールを持ち、腕を大きく旋回させる等の動作を加える事によって、肩胛骨、肩関節、首、胴体ひねり等、可動域の拡大が成されて、姿勢や、運動能力の向上へと改善が図られます。
【図面の簡単な説明】
【０００５】
【図１】本用具の構造を示すものです。
【図２】本用具の使用例を示すものです。
【図１】
0003170506.tif 000003
【図２】
0003170506.tif 000004
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
平均台状の台に、手摺りや取っ手を備えたことを特徴とする姿勢改善健康用具。
【請求項２】
平均台状の台に、揺動或いは振動を加える手段を備えたことを特徴とする請求項１記載の姿勢改善健康用具。
(57)【要約】【課題】携帯およびその使用において便利なる除光紙収納の携帯用ホルダーを提供する。【解決手段】凹部を有するケースを設けるとともに、該ケースに対し開閉にて係合および係合解除可能なる蓋を取り付け、蓋閉時におけるケース内気密可能手段を設け、該ケース内に除光紙を積層収納したことを特徴とする。【選択図】図１
0003170528.tif 000002
【実用新案登録請求の範囲】
【請求項１】
凹部を有するケースを設けるとともに、該ケースに対し開閉にて係合および係合解除可能なる蓋を取り付け、蓋閉時におけるケース内気密可能手段を設け、該ケース内に除光紙を積層収納したことを特徴とする除光紙収納携帯用ホルダー。
【請求項２】
ケース内気密手段を、ケース縁部上に設けた溝内に細長ゴムを挿入する手段としてなる請求項１記載の除光紙収納携帯用ホルダー。
【請求項３】
収納した除光紙を二分割除光紙とした請求項１または２記載の除光紙収納携帯用ホルダー。
【考案の詳細な説明】
【技術分野】
【０００１】  この考案は、市販の除光液を含ませた除光紙を携帯するためのホルダーに関する。
【背景技術】
【０００２】  従来より、除光液が利用されているが、除光紙を納めた携帯用のホルダーは見あたらない。
【考案の開示】
【考案が解決しようとする課題】
【０００３】  従来より、マニキュアが多用され、マニキュア塗布後の除去用として、除光液が用いられている。一般的には、この除光液は小瓶に納められており、この液をパフなどにしみこませて爪部をぬぐってマニキュアを除去している。しかし、使用の度に上記作業が必要となり、適量の除光液を正しく用いる配慮が必要で、より簡便に利用できる手段が求められている。本考案は、以上のような従来からの除光液利用に関わる課題を解決するために考案されたもので、携帯に便利であるとともにだれでも簡単に利用できる手段を提供するべく案出されたものである。
【課題を解決するための手段】
【０００４】  課題を解決する手段として本案は以下の構成とした。すなわち、凹部を有するケースを設けるとともに、該ケースに対し開閉にて係合および係合解除可能なる蓋を取り付け、蓋閉時におけるケース内気密可能手段を設け、該ケース内に除光紙を積層収納する。
本案は以上の構成よりなる除光紙収納携帯用ホルダーである。
【考案の効果】
【０００５】  本案によれば、ケース内に除光紙を気密可能に収納することができ、使用時はケース内の除光紙を用いて除光することができる有用なる物品を得ることができる。また、コンパクトなケースとすることで携帯にも便利である。
【考案を実施するための最良の形態】
【０００６】  以下、本考案の実施形態について説明する。
図において、１は合成樹脂製のケース本体で、その中央に凹部を有する平面視略四角形有底部材であり、その一片中央には係合凹部２が設けられる。また、係合凹部を除く外周上縁には溝が形成され、この溝内に断面円形の細長ゴム３が挿入位置している。
４は蓋で、前記のケース本体と同一サイズで、凹部を有し、該蓋の一部に係合凸部５を有している。また、該凹部底部にはミラー６が取り付けられる。この蓋はヒンジ（図示略）にてケース本体に回動自在に取り付けられており、係合凸部は係合凹部に係合とその解除が自在である。なお、前記の細長ゴムは溝上面より少し突出して位置し、蓋をケース本体に係合させたとき、蓋の面にてこのゴムは押圧されて変形し、蓋を閉めたときの蓋とケース本体により形成される空間の気密性が保たれる。
以上が本案によるホルダーであるが、使用に際しては、本体凹部内に除光紙が積層収納され、１枚ずつ取り出して使用される。この除光紙は市販の除光液を柔らかい紙に浸漬して設けられ、この紙が多数枚積層してケース凹部に収納される。除光液は揮発性であるため、ケース本体と蓋にて気密性を保つことが必要となる。
図示の例では蓋にミラーが設けられて、自己の姿の視認が可能である。図１にて、仮想線で示すように、除光紙を二分割して収納すると、その取り出しがより容易になる。
すなわち、この分割部分の一方の除光紙を押圧すると、少し沈んで他方の除光紙の断面が露出するので、この露出部分に指を当てることにて取り出しが容易となる。【０００７】  以上、本案について記したが、本案は従来の除光液に代えて除光紙を用いるときに便利なる携帯用のホルダーを提供するものである。このホルダー内には除光液を含ませた除光紙が多数枚収納され、１枚ずつ取り出して使用し、廃棄できる便利さを有している。
また、本ホルダーは気密性を有して、収納した除光紙の乾燥を防いでいつでも利用することができるものである。以上のごとく、本案にて携帯と使用に便利なる除光紙収納携帯用ホルダーを得ることができる。
【図面の簡単な説明】
【０００８】
【図１】  本考案の斜視図（蓋開時）
【図２】  本考案の除光紙積層説明図
【符号の説明】
【０００９】  １  ケース本体
２  係合凹部
３  細長ゴム
４  蓋
５  係合凸部
６  ミラー
７  除光紙
８  仮想線
【図１】
0003170528.tif 000003
【図２】
0003170528.tif 000004
(57)【要約】      （修正有）【課題】従来は交通法規を守りながら走るスクーターを、職業に合わせて緊急走行出来るようにし、なおかつ路上等の現場での活動を安全に遂行出来るスクーターを提供する。【解決手段】バケット付きスクーターの前面ボディーにＬＥＤ点滅ランプを設けて、後部バケットの上下にＬＥＤ点滅ランプを設け、前面ボディー内部の車体フレームに緊急音サイレンを設け、配線で右ハンドル手元のスイッチにそれら点滅ランプ、緊急音サイレン、バッテリー、車体キー、トランジスタ、レギュレーターをそれぞれ繋いで、前面ボディー両サイドに二箇所、ボディー両脇に一箇所ずつ職業別ステッカー貼る事を特徴とする。【選択図】図１
0003170529.tif 000002
【実用新案登録請求の範囲】
【請求項１】
（イ）後部バケット付スクーターの前面及びバケット上下にＬＥＤ点滅ランプを設け、前面ボディー内側に警告音発信サイレンを設ける。
（ロ）それらを作動させる右ハンドル付根に設けたスイッチとバッテリーをレギュレーターとトランジスタを繋いだ車両キーのON配線で繋げる
（ハ）それらを組み合わせたスクーターに職業別ステッカーを車体前面及び両横に貼り付けた事を特徴とする緊急スクーターシステム。
【考案の詳細な説明】
【技術分野】
【０００１】
この考案は移動手段が主にスクーターとしていて、警察官並びに緊急走行を必要とされてる職種に関するものである。
【背景技術】
【０００２】
従来、警察官等が乗るスクーターは市販品に小さめの文字を書いたステッカーを貼っているだけであった。
しかし、これらは緊急車両でない為、通報を受けた警察官等は交通法規を守り、信号を守り、一般車両の追い抜きが出来なくて、現場に駆けつけるのが緊急車両に比べてはるかに遅かった。また、事故処理、交通整理等路上の職務活動も一般スクーターと一緒に見えて、路上でスクーターを停めての活動は危険であった。
それでも適当な移動手段が無い為、周囲からの視認性の少ないスクーターで交通法規を守りながら危険な路上活動をしているのが現状である。
※類似するものに、パトカー、白バイ、消防車等それらの目的は一緒だが、スクーター独自のシステム備わり全く違った物である。
【考案の開示】
【考案が解決しようとする課題】
【０００３】
そのため次のような問題点があった。
・  一見すると一般スクーターと同じ様に見えて進路を優先させてくれない。
・  緊急走行出来る様に、緊急車両の様に赤・黄等のＬＥＤ点滅ランプ・緊急音サイレンが必要であった。
・  路上作業ではなるべく目立つ仕様にしなければ危険である。
本考案は、これらの問題点を解決するためになされたものである。
【課題を解決するための手段】
【０００４】
図１のように
（イ）後部バケット付スクーターの前面及びバケット（１０）上下に凸ネジ付きＬＥＤ点滅ランプ（１・２・３）を設け、前面ボディー内部に緊急音サイレン（５）を設ける。
（ロ）それらを作動させるため、右ハンドル付根に設けたON-OFFスイッチ（４）と凸ネジ付き点滅ランプ（１．２．３）と緊急音サイレン（５）とバッテリー      をレギュレーターとトランジスタ及び車両キーON配線で繋げる。          
（ハ）それらを組み合わせたスクーターに職業別ステッカー（６・７・８・９）を車体前面両サイド及び胴体ボディー両横に貼り付ける。
以上の構成で目的に合うシステムの考案を完成する事が出来た。
【考案の効果】
【０００５】
本考案で使用されるシステムで次のような問題が解決される。
・  緊急車両と同等に見られて進路を譲ってくれる。
・  制限速度以上での走行など、緊急走行が出来るようになる。
・  点滅ランプを点灯すると、昼夜問わず周囲からの視認性が向上して、路上活動がより安全に活動しやすくなる。
・  使用者が警察であれば、その車両を見て犯罪を躊躇し治安維持にも貢献する。
【考案を実施するための最良の形態】
【０００６】
スクーターの外装ボディーを取り外す、次に右ハンドルミラーの付根にスイッチ（４）が収まる穴を設けはめ込む、後部バケット（１０）上部蓋に４ｍｍの穴を直線に三つ開けＬＥＤ点滅ランプ（２）の凸ネジ２本を両端に差し込み真ん中の穴に２本の配線を通して蓋内部からナットで取り付ける。次にバケット（１０）本体下に４mmの穴をＵの字に五つ開け、真ん中の穴に２本の配線、両端２つにＬＥＤ点滅ランプ（３）の凸ネジをバケット外部から通して内側からナットで取り付ける。次に前面ボディー（１１）内側の車体フレームに溶接で緊急音サイレン（５）を設ける。そして外装ボディーに４mmの穴を四つ開け、その内の１つに点滅ランプ（１）の配線を２本通し、凸ネジ三つを差込み内側からナットで固定する。それら点滅ランプ（１・２・３）の配線の内１本をスイッチ（４）の端子にハンダ付けし、緊急音サイレン（５）の２本の配線の内１本をスイッチ（４）にハンダ付けして、それらのもう１本の配線をレギュレーターとトランジスタを繋げた車両キーON配線に繋ぎ、車両キーON配線をバッテリーのプラス端子に繋いで、スイッチ（４）の配線をバッテリーのマイナス端子に繋ぐ。
そして、ランプ（１・２・３）と緊急音サイレン（５）の動作確認後、それらの配線を外装ボディー取り付けに邪魔にならない様にビニールテープ等で固定して、外装ボディーを取り付ける。
そして、職業別ステッカー（６・７）を前面ボディー（１１）両脇に貼り付ける、それから職業別ステッカー（８・９）を胴体ボディーの両脇に貼り付け完了である。
【図面の簡単な説明】
【０００７】
【図１】本考案の斜視図
【図２】本考案の側面図
【図３】本考案の正面図
【図４】本考案の背面図
【符号の説明】
【０００８】
１  点滅ランプA                      ６  ステッカーＡ
２  点滅ランプB                      ７  スッテカーＢ
３  点滅ランプC                      ８  スッテカーＣ
４  スイッチ                          ９  スッテカーＤ
５  緊急音サイレン                  １０  バケット
１１  前面ボディー
【図１】
0003170529.tif 000003
【図２】
0003170529.tif 000004
【図３】
0003170529.tif 000005
【図４】
0003170529.tif 000006
(57)【要約】      （修正有）【課題】ＬＥＤ照明を用いることで消費電力を抑え、コンパクトで電力自立を可能としたのれんを提供する。【解決手段】のれんＡの周囲にはＬＥＤＣを取り付け、竿Ｂで店舗などの入口等に設置する。さらに、竿Ｂの内部にはバッテリーと安定器が内蔵されている。バッテリーに外部電源より充電端子を用い、外部端子と接続することで充電を行う。また、上記安定器を取り付けることで、電圧を変化させ、のれんの周囲に取り付けたＬＥＤの色調を変化させることができる。【選択図】図１
0003170538.tif 000002
【実用新案登録請求の範囲】
【請求項１】
竿の部分に、バッテリーと安定器を内蔵した、電力自立可能なＬＥＤ照明を有するのれん。
【請求項２】
安定器によって電圧を変化させ、それによって色調を変化させることのできるＬＥＤを有する請求項１の電力自立可能なのれん。
【請求項３】
家庭用電源、或いは外部バッテリーより、内蔵したバッテリーに充電できる請求項１の電力自立可能なのれん。
【考案の詳細な説明】
【考案の詳細な説明】
【技術分野】
【０００１】本考案はＬＥＤによる照明を用いたのれんに関するものである。
【背景技術】
【０００２】従来、のれんには照明はなく、別の部分よりの光を受けることで、夜間などのまわりが暗い場合、その役目をたもっていた。
【考案が解決しようとする課題】
【０００３】本考案は、ＬＥＤ照明を用いることで消費電力を抑え、更にコンパクトな設計とした電力自立を可能としたのれんを提供するものである。
【課題が解決する為の手段】
【０００４】本考案は、のれんの竿部分にバッテリー及び安定器を取り付けることで、コンパクトな設計とした。また、家庭電源等より充電できるよう充電用の端子を設置した。
【０００５】本考案においては、更に、安定器を取り付けることで、電圧を変化させ、のれんの周囲に取り付けたＬＥＤの色調を変化させるとできた。
【図面の簡単な説明】
【０００６】
【図１】は、のれんの正面図である。のれん（Ａ）の周囲にはＬＥＤ（Ｃ）が取り付けられ、竿（Ｂ）で店舗などの入口等に設置される。
【図２】は、竿（Ｂ）の裏面図である。バッテリーに外部電源より充電端子（Ｄ）を用い、外部端子（Ｅ）と接続することで充電を行う。
【図３】は、竿（Ｂ）の拡大図である。竿（Ｂ）の内部にはバッテリー（Ｆ）と安定器（Ｇ）が内蔵されている。
【符号の説明】
【０００７】Ａは、のれんである。
Ｂは、竿である。
Ｃは、ＬＥＤである。
Ｄは、充電端子である。
Ｅは、外部端子である。
Ｆは、バッテリーである。
Ｇは、安定器である。
【図１】
0003170538.tif 000003
【図２】
0003170538.tif 000004
【図３】
0003170538.tif 000005
(57)【要約】      （修正有）【課題】手の平のツボを効果的に刺激して人体を活性化することのできる手袋を提供する。【解決手段】任意素材にて形成される手袋の内面に、複数個の円錐形突起を設けたことを特徴とする。手にはめて少し強めに握る動作を反復することによって、手の平に存在するツボを適度に刺激して、頭脳その他に刺激が伝わって人体を活性化することができる。円錐形突起を設けたところにその特徴を有し、人体に対する最適なツボ押し効果を得ることができ、携帯してどこでも使用することができる利便性を有するものである。【選択図】図１
0003170537.tif 000002
【実用新案登録請求の範囲】
【請求項１】
任意素材にて形成される手袋の内面に、複数個の円錐形突起を設けたことを特徴とするツボパワー手袋。
【請求項２】
円錐形突起サイズにおいて、円錐形下端直径と円錐形高さを略同一としてなる請求項１記載のツボパワー手袋。
【請求項３】
円錐形突起材質をアクリル樹脂としてなる請求項１または２記載のツボパワー手袋。
【請求項４】
突起形状を円錐台形としてなる請求項１から３のいずれかの項に記載のツボパワー手袋。
【考案の詳細な説明】
【技術分野】
【０００１】  この考案は、手袋の内面に複数個の円錐形突起を配設してなる、人体活力を増進させるための手袋に関する。
【背景技術】
【０００２】  従来より、種々の指圧用具が多用されているが、本考案にて示すように円錐形状の突起を用いたものは見あたらない。
【考案の開示】
【考案が解決しようとする課題】
【０００３】  東洋医学では、人体にツボ（経穴）という刺激点が多数存在し、このツボを指圧や灸等で刺激することによって、身体の臓腑その他の各器官を活性化し、機能改善が図られるとされている。指圧用具・機器としては従来より、突起付きサンダルや電動機器などが多用され、また単一突起の用具なども利用されている。手の平にも多くのツボがあることが知られているが、手の平専用の指圧具はあまり見かけることがなく、簡便に利用できるものが求められている。
本考案は以上のような従来からの指圧具に関わる課題を解決するために考案されたもので、手袋の内面に多数の円錐形突起を設けることにて手を握る動作を反復することにより、手の平のツボを効果的に刺激して人体活力を増進させることのできる、新規かつ有用なる手袋を提供することを目的として開発されたものである。
【課題を解決するための手段】
【０００４】  課題を解決する手段として本考案は以下の構成とした。
すなわち、任意素材にて形成される手袋の内面に、複数個の円錐形突起を設ける。
本考案は以上の構成よりなるツボパワー手袋である。
【考案の効果】
【０００５】  本考案によれば、手にはめて少し強めに握る動作を反復することによって、手の平に存在するツボを適度に刺激して、頭脳その他に刺激が伝わって人体を活性化することができる有用なる物品を提供することができる。本考案は円錐形突起を設けたところにその特徴を有し、人体に対する最適なツボ押し効果を得ることができ、携帯してどこでも使用することができる利便性を有するものである。
【考案を実施するための最良の形態】
【０００６】  以下、本考案の実施形態について説明する。
図において、１は手袋本体で、若干の伸縮性を有する繊維編み込み布体にて形成される。
該手袋本体の手首側部分には親指と反対側に非縫着部分２が設けられて、手の挿入を容易としている。また、手首上側に位置する手袋部分内面には細平ゴム３が縫着されて手袋の手首へのフィット感を得るものとしている。４は手袋本体内面の手の平側主要部および指の腹側の当たる部分のほぼ全域および親指根本側に設けられる押圧突起である。この押圧突起は、図２にて示すように、アクリル樹脂にて円錐形状に形成され、手袋布体内面に固着されている。該突起サイズは、円錐形下端直径が６〜７ミリメートル、円錐形高さが同じく６〜７ミリメートルである。
本案の使用に際しては、一般の手袋同様に手にはめて、拳を作るようにやや力を入れて手指を握り、この握った状態を３秒前後の時間保持してからゆるめ、この動作を６０回ほど反復して行う。以上の動作にて手袋内面の突起は手の平等を押圧して刺激を与えることとなり、人体が活性化する。本案にて用いたアクリル樹脂は、適度の弾力と形状復元性を有し、また円錐形状であるため、押圧初期はその復元力も小さく刺激度は低い。
押圧が進むとその復元力は増加して以前より強い押圧となり、上記作業にてその握り具合の加減にて最適な押圧を得ることができる。なお、本例では指先個所に配設される押圧突起サイズをやや大きくして、より効果的な押圧刺激を得られるものとした。【０００７】  以上、本考案について記したが、本考案は円錐形状突起を手袋の内面に設けたところにその特徴を有している。人体皮膚は弾力を有しているため、突起による押圧にてその部分の皮膚に凹部が形成され、この押圧程度にて刺激度が異なってくる。効果的な指圧を得るためには、突起の高さと硬さおよび弾力が重要であり、効果的な刺激を得るためには適度の硬さと弾力が望ましい。実験の結果、突起材質にアクリル樹脂を用いることにて、その硬度と弾力が適度となり、突起サイズは既述のものが適当であり、突起形状は円錐形が適していることが判明したのである。円錐形とすることで、押圧初期の反発復元力は小さく、弱めの刺激となり、さらに押圧すると突起変形度が大きくなってその反発復元力も大きくなる。従って、手袋装着にて手指の握り具合にて手に対する突起押圧効果を加減して、最適な押圧効果を得ることができるのである。なお、必要に応じて円錐形に代えて近似の円錐台形状としてもよい。手袋装着にて握る動作を反復して行うことにより効果が発揮されるが、６０回を２セット行うことによって、杖を使用していた方も杖を使用せずに歩くことが可能になり、歩行時にふらつき感のある方もしっかりとした歩行ができるようになり、また認知症の方も歩行がしやすくなるなどのテスト結果が得られている。
本案は手袋スタイルによる指圧効果発揮物品としたので、その収納・運搬が容易であり、いつでもどこでも手軽に利用することができる。以上のごとく、本考案によって手軽に指圧を行うことのできる有用なる物品を提供することができる。
【図面の簡単な説明】
【０００８】
【図１】  本考案の平面図（左手用手袋）
【図２】  本考案の突起形状説明図
【符号の説明】
【０００９】１  手袋本体
２  非縫着部分
３  細平ゴム
４  押圧突起
ａ  突起下端外径
ｂ  突起高さ
【図１】
0003170537.tif 000003
【図２】
0003170537.tif 000004
(57)【要約】      （修正有）【課題】傘を体に固定でき、両手が自由になり、大型犬等と雨の中を散歩しても苦にならず、濡れずに安心して世話が出来るダブルクリップを提供する。【解決手段】Ａクリップ本体１にピンを設け、このピンにバネ３を挿入して、Ａクリップ本体１に装着して設ける。さらにＡクリップ本体１の取手部５に軸受４を固定して設ける。つぎにＢクリップ本体７にピンを設け、前記のごとくピンにバネ３を挿入して、Ｂクリップ本体７に装着して設ける。さらにＢクリップ本体７の取手部５に、球形先端部８を設けた、自在軸２の後端部９を固着して設ける。最後に、この自在軸２の球形先端部８を、Ａクリップ本体１に固定して設けた軸受４に回動できる状態にて装着し、Ａクリップ本体１とＢクリップ本体７が接続される。【選択図】図２
0003170532.tif 000002
【実用新案登録請求の範囲】
【請求項１】
Ａクリップ本体（１）にピン（６）を設け、このピン（６）にバネ（３）を挿入して、Ａクリップ本体（１）に装着して設ける、さらにＡクリップ本体（１）の取手部（５）に軸受（４）を固定して設ける、つぎにＢクリップ本体（７）にピン（６）を設け、前記のごとくピン（６）にバネ（３）を挿入して、Ｂクリップ本体（７）に装着して設ける、さらにＢクリップ本体（７）の取手部（５）に、球形先端部（８）を設けた、自在軸（２）の後端部（９）を固着して設ける、最後に、この自在軸（２）の球形先端部（８）を、Ａクリップ本体（１）に固定して設けた、軸受（４）に回動できる状態にて装着し、Ａクリップ本体（１）とＢクリップ本体（７）が接続される、このような特徴よりなる、傘等に使用するダブルクリップ。
【考案の詳細な説明】
【技術分野】
【０００１】  本考案は、雨の日に傘を差すが、この傘を体の一部として手を使わずにできる傘差し手段に関する補助技術である。
【背景技術】
【０００２】  従来、雨の日は傘を片手に持って歩くのは、あたりまえであるが、特に雨の日の大型犬や複数の犬と共に散歩するには、両手をフリーにしておきたい。
【考案の開示】
【考案が解決しようとする課題】
【０００３】  現在、レインコート等を着て散歩させるが、夏のように気温の高い時期は、とてもじゃないが、大型犬や複数の犬の散歩には体がもたない。やはり傘を使用した風通しの良い方法が一番である。そこで傘を手の代わりに支持するものを考案する。  これら課題を解決するために本考案はなされたのである。
【課題を解決するための手段】
【０００４】  以下解決手段を説明する。    まず、衣類やバンド、傘の柄等に確実に支持する、Ａクリップ本体（１）にピン（６）を設け、このピン（６）にバネ（３）を挿入して、Ａクリップ本体（１）に装着して設ける。さらにＡクリップ本体（１）の取手部（５）に軸受（４）を固定して設ける。つぎにＢクリップ本体（７）にピン（６）を設け、前記のごとくピン（６）にバネ（３）を挿入して、Ｂクリップ本体（７）に装着して設ける。さらにＢクリップ本体（７）の取手部（５）に、球形先端部（８）を設けた、自在軸（２）の後端部（９）を固着して設ける。最後に、この自在軸（２）の球形先端部（８）を、Ａクリップ本体（１）に固定して設けた、軸受（４）に回動できる状態にて装着し、Ａクリップ本体（１）とＢクリップ本体（７）が接続される。  本考案は、以上のような構成および特徴よりなる、傘等に使用するダブルクリップである。
【考案の効果】
【０００５】  傘を体に固定できるので、両手が自由になり、大型犬等と雨の中を散歩しても苦にならず、濡れずに安心して世話が出来る。
【考案を実施するための最良の形態】
【０００６】  図２のごとく構造構成は極めてシンプルに形成されている。まず傘の柄等の棒状のものから、シャツ等の衣類やバンド、ベルト等に、強力にクリップ固定させるためのＡクリップ本体（１）を用意して、これにバネ（３）を挿入したピン（６）を固定して設ける。つまり、このピン（６）をこて棒として、クリップが開閉されるのである。さらにＡクリップ本体（１）の取手部（５）に、軸受（４）を設ける。またＢクリップ本体（７）を用意して、これにもバネ（３）を挿入したピン（６）を固定して設ける。つぎにＢクリップ本体（７）の取手部（５）にたいして球形先端部（８）を設けた、自在軸（２）の後端部（９）を固着して設ける。さらにこの自在軸（２）の球形先端部（８）を、Ａクリップ本体（１）の軸受（４）に挿入して、この部分が回動するように装着される。つまりこれで、Ａクリップ本体（１）とＢクリップ本体（７）が接続されて、一対のクリップとして形成される。  本考案は以上のような構成であり、これを使用せんとするときには、【０００７】  図３のごとく、傘を体に支持して差す場合は、本考案を２個を用意する。まず傘の柄の部分をＢクリップ本体（７）で挟み装着する。つぎに、一方のＡクリップ本体（１）でベルトやシャツ等の衣類の端に挟み装着する。この時に、該Ａクリップ側と該Ｂクリップ側には取付け角度等の違いが生じる為、捩じれが出来るが、自在軸（２）が回動してくれるのでこれは自然に解消する。つまり本考案はどんな角度でも、装着できる。また、ベルトの代わりに、傘袋を腰に巻いて利用するのはベストモードである。
【図面の簡単な説明】
【０００８】
【図１】本考案の平面図である。
【図２】本考案の側面図である。
【図３】本考案の実施図である。
【符号の説明】
【０００９】      １  Ａクリップ本体      ２  自在軸      ３  バネ      ４  軸受      ５  取手部      ６  ピン      ７  Ｂクリップ本体      ８  球形先端部      ９  後端部
【図１】
0003170532.tif 000003
【図２】
0003170532.tif 000004
【図３】
0003170532.tif 000005